【事件の表示】
　平成１１年特許願第１０９２１８号「添付票付き隠蔽はがき及びその作製方法」拒絶査定不服審判事件〔平成１２年１０月２４日出願公開、特開２０００−２９６６８６〕について、次のとおり審決する。
【結　論】
　本件審判の請求は、成り立たない。
【理　由】
第１．手続の経緯
　本願は、平成１１年４月１６日に出願したものであって、拒絶理由通知に応答して平成２０年８月８日付けで手続補正がなされたが、同年１２月１６日付けで拒絶査定がなされ、これに対し、平成２１年１月２２日に拒絶査定に対する審判請求がなされるとともに、同年２月２０日に明細書についての手続補正がなされたものである。
　
第２．平成２１年２月２０日提出の手続補正についての補正却下の決定
［補正却下の決定の結論］
　平成２１年２月２０日提出の手続補正（以下、「本件補正」という。）を却下する。
［理由］
１．補正の内容
　本件補正は、特許請求の範囲を補正する内容を含んでおり、本件補正により、特許請求の範囲は、以下のように補正された。
＜補正前＞
「　【請求項１】　宛先票と、
　前記宛先票に一体に連接され、折り畳まれて、内面を隠蔽する隠蔽票と、
　前記隠蔽票と別体に形成され、その隠蔽票に配置された所定枚数の添付票と
を備える添付票付き隠蔽はがきであって、
　前記隠蔽票は、前記添付票を分離した後に現れる剥離開始部を有し、　
　
前記隠蔽票の前記剥離開始部は、前記添付票の剥離開始部から離れた位置に配置され
　前記添付票は、切離し可能な複数の添付票からなり、前記隠蔽票と連結していないこと
を特徴とする添付票付き隠蔽はがき。
　　【請求項２】　請求項１に記載の添付票付き隠蔽はがきにおいて、
　前記宛先票は、はがき表示を有する
ことを特徴とする添付票付き隠蔽はがき。
　　【請求項３】　請求項１又は請求項２に記載の添付票付き隠蔽はがきを作製する添付票付き隠蔽はがきの作製方法であって、
　前記宛先票、前記隠蔽票及び前記添付票が連接されている隠蔽はがきシートをＺ字状に折り畳んだ後、前記添付票及び前記隠蔽票を連接する一辺を切り落として、その添付票を前記隠蔽票から切り離す
ことを特徴とする添付票付き隠蔽はがきの作製方法。」
＜補正後＞
「　【請求項１】
宛先票と隠蔽票と添付票とが折り畳み予定線を介して一方向に一体に連接されてなる隠蔽はがきシートの両面に剥離可能に接着する感圧接着剤が塗布され、
前記添付票は折り畳み予定線と直交する方向に形成された切り取り予定線を介して分離する所定枚数の添付票が連接されてなり、
当該隠蔽はがきシートをＺ字状に折り畳んで圧着してなる隠蔽はがきにおいて、
前記宛先票と隠蔽票とは、宛先票の宛先欄が表出し隠蔽票の内面が隠蔽されるように折り畳み予定線を介して折り畳まれ、
前記隠蔽票と添付票とは、折り畳み予定線を介して折り畳まれ、前記折り畳み予定線を含む一辺を切り落とすことによって前記隠蔽票の表面に前記隠蔽票と連結していない所定枚数の添付票が別体に形成され、
かつ、前記切り落とされる折り畳み予定線と接する側の隠蔽票の角部を切り欠いてなる剥離開始部を形成し、該剥離開始部の上に配置された添付票を分離した後に当該剥離開始部が現れるようにしたこと
を特徴とする添付票付き隠蔽はがき。
　　【請求項２】
請求項１に記載の添付票付き隠蔽はがきにおいて、
前記宛先票は、はがき表示を有すること
を特徴とする添付票付き隠蔽はがき。
　　【請求項３】
請求項１又は請求項２に記載の添付票付き隠蔽はがきを作製する添付票付き隠蔽はがきの作製方法であって、
前記隠蔽はがきシートをＺ字状に折り畳んで圧着した後、
前記添付票と前記隠蔽票を連接する折り畳み予定線を含む一辺を切り落とすことによって前記切り取り予定線を介して分離する所定枚数の添付票を前記隠蔽票から切り離すことを特徴とする添付票付き隠蔽はがきの作製方法。」
（下線部は、審決で付した。）
　
２．補正目的についての検討
　本件補正前後で請求項数はいずれも３であり、記載ぶりからして補正前の請求項１〜３が補正後の請求項１〜３にそれぞれ対応することは明らかである。
　補正前の請求項１には、「前記隠蔽票の前記剥離開始部は、前記添付票の剥離開始部から離れた位置に配置され」と記載さており、隠蔽票の剥離開始部と添付票の剥離開始部との位置関係が規定されているにもかかわらず、補正後の請求項１には添付票の剥離開始部について何等記載されておらず、隠蔽票の剥離開始部と添付票の剥離開始部との位置関係は、規定されていない。
　そうすると、請求項１についての補正は、隠蔽票の剥離開始部と添付票の剥離開始部との位置関係を削除する内容を含んでいるものである。
　このような補正内容が、平成１４年法律第２４号改正附則第２条第１項によりなお従前の例によるとされる同法による改正前の特許法第１７条の２第４項各号に規定するいずれの目的にも該当しないことは明らかである。
　よって、上記補正内容を含む本件補正は、平成１４年法律第２４号改正附則第２条第１項によりなお従前の例によるとされる同法による改正前の特許法第１７条の２第４項の規定に違反するので、同法第１５９条第１項において読み替えて準用する同法第５３条第１項の規定により却下すべきものである。
　
３．独立特許要件について
　上記のように、本件補正は、補正目的に違反していることが明らかであるが、念のため、独立特許要件についても検討しておく。
（１）本願補正発明
　補正後の請求項１に係る発明（以下、「本願補正発明」という。）を再掲すると、以下の通りである。
「宛先票と隠蔽票と添付票とが折り畳み予定線を介して一方向に一体に連接されてなる隠蔽はがきシートの両面に剥離可能に接着する感圧接着剤が塗布され、
前記添付票は折り畳み予定線と直交する方向に形成された切り取り予定線を介して分離する所定枚数の添付票が連接されてなり、
当該隠蔽はがきシートをＺ字状に折り畳んで圧着してなる隠蔽はがきにおいて、
前記宛先票と隠蔽票とは、宛先票の宛先欄が表出し隠蔽票の内面が隠蔽されるように折り畳み予定線を介して折り畳まれ、
前記隠蔽票と添付票とは、折り畳み予定線を介して折り畳まれ、前記折り畳み予定線を含む一辺を切り落とすことによって前記隠蔽票の表面に前記隠蔽票と連結していない所定枚数の添付票が別体に形成され、
かつ、前記切り落とされる折り畳み予定線と接する側の隠蔽票の角部を切り欠いてなる剥離開始部を形成し、該剥離開始部の上に配置された添付票を分離した後に当該剥離開始部が現れるようにしたこと
を特徴とする添付票付き隠蔽はがき。」
　
（２）引用刊行物
　原査定の拒絶の理由に引用された特開平１０−８６５５７号公報（以下、「刊行物」という。）には、以下の記載が図とともにある。
　ア．【００１６】次に、上述のように構成した葉書１を作成する手順の一例を説明する。まず、宛名表示片９、葉書本体４、補助片５の順で、折り用ミシン目３ａを介して連接し、
表裏面に感圧性接着剤２，８を塗布したシート
　イ．【００３１】続いて、図６及び図７に基づき本発明の第３の実施形態を説明する。図６に示すように、葉書４１は、表裏面に、通常では接着せず所定の圧を加えると接着可能となり、接着後に剥離可能で、印字あるいは印刷が可能な、上述した
第１の実施形態で説明した感圧性接着剤２，８と同様の感圧性接着剤
塗布した
重ね合わせ面を前記感圧性接着剤で剥離可能に接着し、その一方側を葉書本体４４とし、この葉書本体４４よりも幅の狭い他方側を宛名表示片４５としている
【００３２】そして、
葉書本体４４の重ね合わせ面には
宛名表示片４５との重ね合わせ面には隠蔽して通知する通知情報５３
宛名表示片４５の表出面には、葉書の送付先を示す宛名情報５０を印字する
【００３３】また、この宛
名表示片５０の葉書本体４４との重ね合わせ面には、隠蔽状態で通知する通知情報
を印字している。
【００３４】また、葉書本体４４の表出面（裏面側）には、葉書本体４４と同一大で、表裏面に、
通常では接着せず所定の圧を加えると接着可能となり、接着後に剥離可能
第１の実施形態で説明した感圧性接着剤２，８と同様の感圧性接着剤
を塗布した分離片４９を、剥離可能に接着している
　ウ．【００３６】
この分離片４９は、特定の会員や申込者を対象とした演奏会、観劇会、展覧会をはじめとする各種イベントの一般入場券、割引優待券、招待券、抽選券等として使用されるもの
　エ．【００３８】次に、上述のように構成した葉書４１を作成する手順の一例を説明する。まず、葉書本体４４と宛名表示片４５を折り用ミシン目４３ａを介して連接した二つ折り紙片４３と、これとは別体で葉書本体４４と同一大の分離片４９を用意し、あるいは、
葉書本体４４と宛名表示片４５を折り用ミシン目４３ａを介して連接し、葉書本体４４と分離片４９を折り用ミシン目
を介して連接したシート
を用意する
【００３９】次いで、
各紙片４４，４５，４９に各宛名人に共通な表示４６，５１や説明文を印刷したうえ、図示していないコンピュータの出力装置であるプリンタ装置にかけて、前記コンピュータにあらかじめ入力しておいた可変情報である宛名情報５０や通知情報５２，５３を印字する。
【００４０】続いて、折り重ね装置（図示せず）によって、二つ折り紙片４３あるいは連接シートの重ね合わせ面が対接するように、二つ折り紙片４３あるいはシートを折り用ミシン目４３ａで二つ折りし、葉書本体４４の葉書表示４６と、宛名表示片４５の宛名情報５０及び剥離開始端指示表示５１を表出する一方、通知情報５３を隠蔽して外部からは視認不能な状態とする。
【００４１】ここで、
葉書本体４４と分離片４９とを折り用ミシン目を介して連接した連接シートの場合には、前記分離片４９を前記葉書本体４４の表出面側（裏面側）に重ね合わせるように、ジグザグ状に三つ折りする
【００４２】さらに続いて、シートを三つ折りした場合を除き、別体あるいは切断分離した分離片４９を、その通知情報５２表示面が葉書本体４４に対接するようにして、葉書本体４４の表出面側（裏面側）に重ね合わせる。
【００４３】次に、上下一対の圧着ローラを備えた圧着装置（図示せず）により
各感圧性接着剤の接着条件である所定の圧を付与し、重ね合わせ面を剥離可能に接着する。さらに、シートを三つ折りした場合には、葉書本体４４と分離片４９との折り用ミシン目端を切断して、葉書本体４４と分離片４９とを別体の紙片とする。
葉書４１
　オ．【００４５】この時、
分離片４９は葉書本体４４から剥離して分離する一方、葉書本体４４と宛名表示片４５とは折り用ミシン目４３ａを介して連接しているので、これら二紙片４４，４５は分離することなく、冊子状に見開くことが可能である。
【００４６】なお、本発明は上述した各実施形態に限定されるものではなく、例えば、剥離可能に接着するための
感圧性接着剤２，８は、各紙片４，５，９，２４，２５，２９，４４，４５，４９の表裏全面に設けずに、重ね合わせ面にのみ設けても
剥離開始端に切り欠き部やコーナーカットを設けて剥離開始動作が容易になるよう構成することもできる
【００４７】さらに、葉書表示６，２６，４６の露出は、宛名表示片９，２９，４５を葉書本体４，２４，４４よりも幅を狭く形成して行うほか、
宛名表示片９，２９，４５を葉書本体４，２４，４４と同一大に形成し
　
　よって、上記記載及び図面を含む刊行物全体の記載から、刊行物には、以下の発明が開示されていると認められる。
「表裏面に感圧性接着剤２，８を塗布し、葉書本体４４と宛名表示片４５を折り用ミシン目４３ａを介して連接し、葉書本体４４と分離片４９を折り用ミシン目を介して連接したシートを用意し、
　分離片４９は、特定の会員や申込者を対象とした演奏会、観劇会、展覧会をはじめとする各種イベントの一般入場券、割引優待券、招待券、抽選券等として使用されるものであって、
　葉書本体４４の宛名表示片４５との重ね合わせ面には隠蔽して通知する通知情報５３を、宛名表示片４５の表出面には、葉書の送付先を示す宛名情報５０を、宛名表示片５０の葉書本体４４との重ね合わせ面には、隠蔽状態で通知する通知情報を印字し、
　前記分離片４９を前記葉書本体４４の表出面側（裏面側）に重ね合わせるように、ジグザグ状に三つ折りし、
　各感圧性接着剤の接着条件である所定の圧を付与し、重ね合わせ面を剥離可能に接着し、葉書本体４４と分離片４９との折り用ミシン目端を切断して、葉書本体４４と分離片４９とを別体の紙片とし、
　宛名表示片４５を葉書本体４４と同一大に形成し、
　コーナーカットを設けて剥離開始動作が容易になるよう構成した
　葉書４１。」（以下、「引用発明」という。）
　
（３）対比
　ａ．本願補正発明と引用発明とを比較すると、引用発明の「宛名表示片４５」、「葉書本体４４」、「折り用ミシン目」、「シート」、「感圧性接着剤２，８」、「ジグザグ状に三つ折りし」、「各感圧性接着剤の接着条件である所定の圧を付与し」、「コーナーカット」及び「葉書４１」は、本願補正発明の「宛先票」、「隠蔽票」、「折り畳み予定線」、「隠蔽はがきシート」、「感圧接着剤」、「Ｚ字状に折り畳んで」、「圧着し」、「角部を切り欠いてなる剥離開始部」及び「隠蔽はがき」に相当する。
　ｂ．本件明細書の段落【００１３】の「受領印をもらった配達員が配達証１３を隠蔽票１２から剥がす」という記載、段落【００１４】の「配達証控１４は、郵便局で保管される票部であり」という記載から、本願補正発明の「添付票」は、はがき機能を有する宛先票及び隠蔽票から独立して使用される票を含んでいる。一方、引用発明の「分離片４９」は、「特定の会員や申込者を対象とした演奏会、観劇会、展覧会をはじめとする各種イベントの一般入場券、割引優待券、招待券、抽選券等として使用されるもの」であるから、はがき機能を有する宛名表示片４５（宛先票）及び葉書本体４４（隠蔽票）から独立して使用される票（以下「独立票」という。）の点で、本願補正発明の「添付票」と共通する。
　ｃ．引用発明の「シート」は「表裏面に感圧性接着剤２，８を塗布し、葉書本体４４と宛名表示片４５を折り用ミシン目４３ａを介して連接し、葉書本体４４と分離片４９を折り用ミシン目を介して連接した」ものであるから、本願補正発明の「宛先票と隠蔽票と添付票とが折り畳み予定線を介して一方向に一体に連接されてなる隠蔽はがきシートの両面に剥離可能に接着する感圧接着剤が塗布され」る点と、「宛先票と隠蔽票と独立票とが折り畳み予定線を介して一方向に一体に連接されてなる隠蔽はがきシートの両面に剥離可能に接着する感圧接着剤が塗布され」ている点で共通する。
　ｄ．引用発明は、「葉書本体４４と宛名表示片４５を折り用ミシン目４３ａを介して連接し、葉書本体４４と分離片４９を折り用ミシン目を介して連接し」、「葉書本体４４の宛名表示片４５との重ね合わせ面には隠蔽して通知する通知情報５３を、宛名表示片４５の表出面には、葉書の送付先を示す宛名情報５０を、宛名表示片５０の葉書本体４４との重ね合わせ面には、隠蔽状態で通知する通知情報を印字し」、「分離片４９を前記葉書本体４４の表出面側（裏面側）に重ね合わせるように、ジグザグ状に三つ折り」するものであるから、宛先票と隠蔽票とは、宛先票の宛先欄が表出し隠蔽票の内面が隠蔽されるように折り畳み予定線を介して折り畳まれるものといえる。
　ｅ．引用発明は、「葉書本体４４と宛名表示片４５を折り用ミシン目４３ａを介して連接し、葉書本体４４と分離片４９を折り用ミシン目を介して連接し」、「前記分離片４９を前記葉書本体４４の表出面側（裏面側）に重ね合わせるように、ジグザグ状に三つ折りし」、「葉書本体４４と分離片４９との折り用ミシン目端を切断して、葉書本体４４と分離片４９とを別体の紙片と」するものであるから、本願補正発明の「隠蔽票と添付票とは、折り畳み予定線を介して折り畳まれ、前記折り畳み予定線を含む一辺を切り落とすことによって前記隠蔽票の表面に前記隠蔽票と連結していない所定枚数の添付票が別体に形成され」る点と、「隠蔽票と独立票とは、折り畳み予定線を介して折り畳まれ、前記折り畳み予定線を含む一辺を切り落とすことによって前記隠蔽票の表面に前記隠蔽票と連結していない独立票が別体に形成され」る点で共通する。
　ｆ．引用発明の「葉書４１」は、「葉書本体４４と分離片４９との折り用ミシン目端を切断」されるものであるから、切り落とされる折り畳み予定線を有するものといえる。
　ｇ．引用発明の「葉書４１」は、「分離片４９」を有しているから、本願補正発明の「添付票付き隠蔽はがき」と、「独立票付き隠蔽はがき」の点で共通している。
　ｈ．よって、本願補正発明と引用発明は、
「宛先票と隠蔽票と独立票とが折り畳み予定線を介して一方向に一体に連接されてなる隠蔽はがきシートの両面に剥離可能に接着する感圧接着剤が塗布され、
当該隠蔽はがきシートをＺ字状に折り畳んで圧着してなる隠蔽はがきにおいて、
前記宛先票と隠蔽票とは、宛先票の宛先欄が表出し隠蔽票の内面が隠蔽されるように折り畳み予定線を介して折り畳まれ、
前記隠蔽票と独立票とは、折り畳み予定線を介して折り畳まれ、前記折り畳み予定線を含む一辺を切り落とすことによって前記隠蔽票の表面に前記隠蔽票と連結していない独立票が別体に形成され、
切り落とされる折り畳み予定線を有し、角部を切り欠いてなる剥離開始部を形成した
独立票付き隠蔽はがき。」
の点で一致し、以下の点で相違している。
［相違点１］独立票に関し、本願補正発明は、「添付票」であって、「折り畳み予定線と直交する方向に形成された切り取り予定線を介して分離する所定枚数の添付票が連接されてなり」と特定され、したがって「添付票付き隠蔽はがき」と称しているのに対し、引用発明は、分離片４９であって、特定の会員や申込者を対象とした演奏会、観劇会、展覧会をはじめとする各種イベントの一般入場券、割引優待券、招待券、抽選券等として使用されるものであり、添付票付き隠蔽はがきと称していない点。
［相違点２］本願補正発明は、「切り落とされる折り畳み予定線と接する側の隠蔽票の角部を切り欠いてなる剥離開始部を形成し、該剥離開始部の上に配置された添付票を分離した後に当該剥離開始部が現れるようにした」と特定されているのに対し、引用発明は、切り落とされる折り畳み予定線を有するものの、コーナーカット（角部を切り欠いてなる剥離開始部）との関係が明らかでなく、剥離開始部の上に配置された添付票を分離した後に当該剥離開始部が現れるようにしたものとはいえない点。
　
（４）判断
　上記相違点１について検討する。
　引用発明の「分離片４９」は、「特定の会員や申込者を対象とした演奏会、観劇会、展覧会をはじめとする各種イベントの一般入場券、割引優待券、招待券、抽選券等として使用されるもの」であり、はがき機能を有する票から独立して様々な用途に用いる票である。
　一方、はがき機能を有する票から独立して使用される票として、本願明細書の段落【００１３】及び段落【００１４】に記載のような「配達証」や「配達証控え」のような「添付票」を折り畳み予定線と直交する方向に形成された切り取り予定線を介して分離する所定枚数の添付票が連接されるように構成することは、本願明細書に従来技術として記載された特開平９−１６４７８８号公報（「切取線１２」及び「切取線３３」が本願補正発明の「折り畳み予定線」及び「切り取り予定線」に相当。）及び特開平１０−２１７６５２号公報（「折り部３」及び「切取り部６」が本願補正発明の「折り畳み予定線」及び「切り取り予定線」に相当。）に記載されているように周知技術であるから、はがき機能を有する票から独立して用いる票として、上記周知技術を採用し、上記相違点１のような構成とすることは当業者が容易になし得る程度のことである。
　
　上記相違点２について検討する。
　コーナーカット（角部を切り欠いてなる剥離開始部）を複数の票のどこの設けるかは適宜選択し得る設計事項であるところ、拒絶査定時に引用された特開平９−２６７５８７号公報に示すように、宛名情報８が設けられた本体シート３、中間の補助シート５０、後ろの補助シート５０の順に三重に重ねられた葉書において、中間の補助シート５０にコーナーカット１１を設け、後ろの補助シート５０の前記コーナーカット１１から離れた位置にコーナーカット１１を設けることが記載されているから、引用発明の葉書４１において、中間に位置する葉書本体４４に角部を切り欠いてなる剥離開始部を設け、後ろに位置する分離片４９の前記角部を切り欠いてなる剥離開始部から離れた位置に角部を切り欠いてなる剥離開始部を設けようとすることは、当業者が容易になし得る程度のことである。
　一方、刊行物の段落【００４５】に「葉書本体４４と宛名表示片４５とは折り用ミシン目４３ａを介して連接しているので、これら二紙片４４，４５は分離することなく、冊子状に見開くことが可能である」と記載されているから、引用発明の葉書本体４４に角部を切り欠いてなる剥離開始部を設ける際、葉書本体４４と分離片４９を連接する折り用ミシン目側に設けることは当然のことである。
　また、引用発明の葉書本体４４と分離片４９を連接する折り用ミシン目は、切り落とされるものであり、葉書本体４４の表出面側に分離片４９が重ね合わせられるから、切り落とされる折り畳み予定線と接する側の葉書本体４４（隠蔽票）の角部を切り欠いてなる剥離開始部を形成し、該剥離開始部の上に配置された分離片４９（「独立票」の点で「添付票」と共通する。）を分離した後に当該剥離開始部が現れるようにしたものとなる。
　「添付票」については、既に相違点１で検討済みであるから、結局、上記相違点２の構成となる。
　
　以上のように、引用発明に本願補正発明の相違点１及び２の構成を備えることは、刊行物記載の発明及び周知技術に基づいて当業者が容易に想到できたことであり、かかる構成を採用することによる本願補正発明の効果も当業者が予測できる範囲のものである。
　
　よって、本願補正発明は、その出願前に頒布された刊行物記載の発明及び周知技術に基づいて、当業者が容易に発明をすることができたものであるから、特許法第２９条第２項の規定により特許出願の際独立して特許を受けることができないものである。
　
（５）むすび
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。 
　
第３．本願発明について
１．平成２１年２月２０日提出の手続補正は上記のとおり却下されたので、本願の請求項１に係る発明は、平成２０年８月８日付け手続補正書の特許請求の範囲の請求項１に記載された事項により特定されるものであり、その請求項１に係る発明（以下、「本願発明」という。）は、以下のとおりである。
　
「宛先票と、
　前記宛先票に一体に連接され、折り畳まれて、内面を隠蔽する隠蔽票と、
　前記隠蔽票と別体に形成され、その隠蔽票に配置された所定枚数の添付票と
を備える添付票付き隠蔽はがきであって、
　前記隠蔽票は、前記添付票を分離した後に現れる剥離開始部を有し、　
　前記隠蔽票の前記剥離開始部は、前記添付票の剥離開始部から離れた位置に配置され、　
　前記添付票は、切離し可能な複数の添付票からなり、前記隠蔽票と連結していないこと
を特徴とする添付票付き隠蔽はがき。」
　
２．引用刊行物
　原査定の拒絶の理由に引用された刊行物及びその記載事項は、前記「第２．３．（２）」に記載したとおりである。
　
３．対比
　ａ．本願発明と引用発明とを比較すると、引用発明の「宛名表示片４５」、「葉書本体４４」、「コーナーカット」及び「葉書４１」は、本願発明の「宛先票」、「隠蔽票」、「剥離開始部」及び「隠蔽はがき」に相当する。
　ｂ．引用発明の「葉書本体４４」は「宛名表示片４５を折り用ミシン目４３ａを介して連接し」、「葉書本体４４の宛名表示片４５との重ね合わせ面には隠蔽して通知する通知情報５３を、宛名表示片４５の表出面には、葉書の送付先を示す宛名情報５０を、宛名表示片５０の葉書本体４４との重ね合わせ面には、隠蔽状態で通知する通知情報を印字」したものであるから、宛先票に一体に連接され、折り畳まれて、内面を隠蔽する隠蔽票といえる。
　ｃ．引用発明の「分離片４９」は、はがき機能を有する宛名表示片４５（宛先票）及び葉書本体４４（隠蔽票）から独立して使用される票（以下「独立票」という。）の点で、本願発明の「添付票」と共通する。
　また、引用発明は「分離片４９を前記葉書本体４４の表出面側（裏面側）に重ね合わせ」、「葉書本体４４と分離片４９とを別体の紙片とし」ているから、引用発明の「分離片４９」は、隠蔽票と別体に形成され、その隠蔽票に配置されたものといえるとともに、隠蔽票と連結していないものといえる。
　ｄ．引用発明の「葉書４１」は、「分離片４９」を有しているから、本願発明の「添付票付き隠蔽はがき」と、「独立票付き隠蔽はがき」の点で共通している。
　ｅ．よって、本願発明と引用発明は、
「宛先票と、
　前記宛先票に一体に連接され、折り畳まれて、内面を隠蔽する隠蔽票と、
　前記隠蔽票と別体に形成され、その隠蔽票に配置された独立票と
を備える独立票付き隠蔽はがきであって、
　剥離開始部を有し、　
　前記独立票は、前記隠蔽票と連結していない
独立票付き隠蔽はがき。」
の点で一致し、以下の点で相違している。
［相違点１’］独立票に関し、本願発明は、「所定枚数の添付票」及び「切離し可能な複数の添付票からなり」と特定され、したがって「添付票付き隠蔽はがき」と称しているのに対し、引用発明は、分離片４９であって、特定の会員や申込者を対象とした演奏会、観劇会、展覧会をはじめとする各種イベントの一般入場券、割引優待券、招待券、抽選券等として使用されるものであり、添付票付き隠蔽はがきと称していない点。
［相違点２’］本願発明は、「前記隠蔽票は、前記添付票を分離した後に現れる剥離開始部を有し、前記隠蔽票の前記剥離開始部は、前記添付票の剥離開始部から離れた位置に配置され」と特定されているのに対し、引用発明は、コーナーカット（剥離開始部）を有するものの、どこに設けられるか明らかでない点。
　
４．判断
　上記相違点１’について検討する。
　引用発明の「分離片４９」は、「特定の会員や申込者を対象とした演奏会、観劇会、展覧会をはじめとする各種イベントの一般入場券、割引優待券、招待券、抽選券等として使用されるもの」であり、はがき機能を有する票から独立して様々な用途に用いる票である。
　一方、はがき機能を有する票から独立して使用される票として、本願明細書の段落【００１３】及び段落【００１４】に記載のような「配達証」や「配達証控え」のような「添付票」を「所定枚数の添付票」及び「切離し可能な複数の添付票からな」るように構成することは、本願明細書に従来技術として記載された特開平９−１６４７８８号公報及び特開平１０−２１７６５２号公報に記載されているように周知技術であるから、はがき機能を有する票から独立して用いる票として、上記周知技術を採用し、上記相違点１’のような構成とすることは当業者が容易になし得る程度のことである。
　
　上記相違点２’について検討する。
　コーナーカット（剥離開始部）を複数の票のどこの設けるかは適宜選択し得る設計事項であるところ、拒絶査定時に引用された特開平９−２６７５８７号公報に示すように、宛名情報８が設けられた本体シート３、中間の補助シート５０、後ろの補助シート５０の順に三重に重ねられた葉書において、中間の補助シート５０にコーナーカット１１を設け、後ろの補助シート５０の前記コーナーカット１１から離れた位置にコーナーカット１１を設けることが記載されているから、引用発明の葉書４１において、中間に位置する葉書本体４４（隠蔽票）に剥離開始部を設け、後ろに位置する分離片４９（「独立票」の点で「添付票」と共通する。）の前記剥離開始部から離れた位置に剥離開始部を設けようとすることは、当業者が容易になし得る程度のことである。
　「添付票」については、既に相違点１’で検討済みであるから、結局、上記相違点２’のような構成となる。
　
　以上のように、引用発明に本願発明の相違点１’及び２’の構成を備えることは、刊行物記載の発明及び周知技術に基づいて当業者が容易に想到できたことであり、かかる構成を採用することによる本願発明の効果も当業者が予測できる範囲のものである。
　
４．むすび
　以上のとおり、本願発明は、その出願前に頒布された刊行物記載の発明及び周知技術に基づいて、当業者が容易に発明をすることができたものであり、特許法第２９条第２項の規定により特許を受けることができないから、他の請求項に係る発明を検討するまでもなく、本願は、拒絶されるべきものである。
　よって、結論のとおり審決する。